(57)【要約】【課題】放送局からの受信や通信ネットワークとの接続を行わなくとも、広告情報などの伝播させたい特定情報を伝播させる。【解決手段】ディスクドライブ１は、ディスク２に対し情報の記録および再生を行う記録再生部１０と、情報を記憶する記憶部１２とを備える。まず、第１のディスク２がディスクドライブ１にて記録および再生可能に配備されると、第１のディスク２に記録された特定情報を、記録再生部１０を介して記憶部１２に記憶する。次に、第２のディスク２がディスクドライブ１にて記録および再生可能に配備されると、記憶部１２に記憶された特定情報を、記録再生部１０を介して第２のディスク２に記録する。【選択図】  図１
2005004900.tif 000002
【特許請求の範囲】
【請求項１】
リムーバブルな記録媒体に対し情報の記録および再生を行う記録再生手段と、情報を記憶する記憶手段とを備える情報記録再生装置と、上記記録媒体とを用いて、情報を伝播する情報伝播方法であって、
第１の記録媒体が情報記録再生装置にて記録および再生可能に配備されると、第１の記録媒体に記録された特定情報を上記記録再生手段を介して上記記憶手段に記憶しておき、
第２の記録媒体が情報記録再生装置にて記録および再生可能に配備されると、上記記憶手段に記憶された特定情報を上記記録再生手段を介して第２の記録媒体に記録することを特徴とする情報伝播方法。
【請求項２】
リムーバブルな記録媒体に対し情報の記録および再生を行う記録再生手段と、情報を記憶する記憶手段とを備える情報記録再生装置であって、
上記記録媒体から上記記録再生手段を介して特定情報を受け取る特定情報受取手段と、
該特定情報受取手段にて受け取った特定情報を、上記記憶手段に記憶された上記特定情報の集まりである特定情報群に追加するように該特定情報群を更新する特定情報群更新手段と、
上記特定情報群に含まれる特定情報の一部または全部を、上記記録再生手段にて上記記録媒体に記録するために上記記録再生手段に送り出す特定情報送出手段とを備えることを特徴とする情報記録再生装置。
【請求項３】
上記特定情報送出手段は、上記特定情報群に含まれる特定情報のうち、上記特定情報受取手段にて受け取った上記記録媒体からの特定情報以外の特定情報の一部または全部を上記記録再生手段に送り出して上記記録媒体に記録することを特徴とする請求項２に記載の情報記録再生装置。
【請求項４】
上記特定情報群更新手段は、上記特定情報受取手段にて受け取った特定情報が、上記特定情報群に既に含まれる特定情報と重複する場合には、何れか一方の特定情報を上記特定情報群に含ませることを特徴とする請求項２に記載の情報記録再生装置。
【請求項５】
上記特定情報群に含ませる特定情報は、新しい方の特定情報であることを特徴とする請求項４に記載の情報記録再生装置。
【請求項６】
上記特定情報には、該特定情報を将来的に利用不能にするための寿命情報を含むことを特徴とする請求項２に記載の情報記録再生装置。
【請求項７】
上記特定情報受取手段は、上記記録媒体に記録された特定情報のうち、利用不能を示す寿命情報を有する特定情報を上記特定情報群更新手段に送り出さないようにすることを特徴とする請求項６に記載の情報記録再生装置。
【請求項８】
上記特定情報送出手段は、上記特定情報群に含まれる特定情報のうち、利用不能を示す寿命情報を有する特定情報を上記記録再生手段に送り出さないようにすることを特徴とする請求項６に記載の情報記録再生装置。
【請求項９】
上記特定情報送出手段は、上記特定情報群に含まれる特定情報のうち、利用不能を示す寿命情報を有する特定情報の一部または全部を上記記憶手段から削除することを特徴とする請求項６に記載の情報記録再生装置。
【請求項１０】
外部から情報を受信する受信手段をさらに備えており、
上記特定情報受取手段は、外部から上記受信手段を介して特定情報を受け取ることを特徴とする請求項２に記載の情報記録再生装置。
【請求項１１】
請求項２ないし１０の何れか１項に記載の情報記録再生装置を動作させるための情報伝播プログラムであって、コンピュータを上記各手段として機能させるための情報伝播プログラム。
【請求項１２】
請求項１１に記載の情報伝播プログラムが記録されたコンピュータ読取り可能な記録媒体。
【発明の詳細な説明】
【０００１】
【発明の属する技術分野】
本発明は、リムーバブルな記録媒体と、該記録媒体に対し情報の記録および再生を行う情報記録再生装置とを用いて、情報を伝播する情報伝播方法、情報記録再生装置、情報伝搬プログラム、および該プログラムを記録した記録媒体に関するものである。
【０００２】
【従来の技術】
情報の中には、広告情報や、バグフィックスが行われたソフトウェアの差分情報など、多数の人々に広く伝えたい（伝播したい）情報が存在する。情報を伝播する方法としては、放送局からテレビジョン受像機やラジオ受信機に映像や音声を放送する方法や、インターネットなどの通信ネットワークシステムを利用してサーバから端末に情報をダウンロードする方法が挙げられる（例えば、特許文献１を参照）。
【０００３】
【特許文献１】
特開２００３−１８５２９号公報（２００３年１月１７日公開）
【０００４】
【発明が解決しようとする課題】
しかしながら、上記の何れの方法においても、情報を受け取る装置は、情報を受け取るときには、放送局から映像信号や音声信号を受信したり、通信ネットワークに接続したりする必要がある。このため、放送局から受信したり、通信ネットワークに接続したりすることのできる環境に無い情報記録再生装置は、情報を伝播させることができないという問題が生じる。また、放送などは不特定多数に伝播させるものであり、特定の空間や特定の嗜好を基に寄り集まったグループに優先的に伝播させることは出来ない。
【０００５】
本発明は上記の問題点を解決するためになされたもので、その目的は、放送局からの受信や通信ネットワークとの接続を行わなくとも、広告情報などの伝播させたい特定情報を伝播させることができる情報伝播方法、情報記録再生装置などを提供することにある。
【０００６】
【課題を解決するための手段】
上記の課題を解決するため、本発明の情報伝播方法は、リムーバブルな記録媒体に対し情報の記録および再生を行う記録再生手段と、情報を記憶する記憶手段とを備える情報記録再生装置と、上記記録媒体とを用いて、情報を伝播する情報伝播方法であって、第１の記録媒体が情報記録再生装置にて記録および再生可能に配備されると、第１の記録媒体に記録された特定情報を上記記録再生手段を介して上記記憶手段に記憶しておき、第２の記録媒体が情報記録再生装置にて記録および再生可能に配備されると、上記記憶手段に記憶された特定情報を上記記録再生手段を介して第２の記録媒体に記録することを特徴としている。
【０００７】
上記の方法によると、第１の記録媒体に記録された特定情報が、情報記録再生装置の記憶手段に記憶され、第１の記録媒体を第２の記録媒体に交換すると、記憶手段に特定された特定情報が第２の記録媒体に記録される。したがって、情報記録再生装置において放送局からの受信や通信ネットワークとの接続を行わなくとも、記録媒体の交換を行うことにより、先の（第１の）記録媒体に記録された特定情報を、後の（第２の）記録媒体に伝播させることができる。
【０００８】
また、本発明の情報記録再生装置は、リムーバブルな記録媒体に対し情報の記録および再生を行う記録再生手段と、情報を記憶する記憶手段とを備える情報記録再生装置であって、上記記録媒体から上記記録再生手段を介して特定情報を受け取る特定情報受取手段と、該特定情報受取手段にて受け取った特定情報を、上記記憶手段に記憶された上記特定情報の集まりである特定情報群に追加するように該特定情報群を更新する特定情報群更新手段と、上記特定情報群に含まれる特定情報の一部または全部を、上記記録再生手段にて上記記録媒体に記録するために上記記録再生手段に送り出す特定情報送出手段とを備えることを特徴としている。
【０００９】
ここで、特定情報としては、時間の経過とともに追加または変更されることが望まれる任意の情報を利用することができ、例えば、広告に関する情報、およびソフトウェアの差分情報が挙げられる。
【００１０】
上記の構成によると、特定情報群更新手段により、記録媒体に記録された特定情報が、記憶手段の特定情報群に追加される。また、特定情報送出手段により、特定情報群の特定情報が記録媒体に記録される。したがって、放送局からの受信や通信ネットワークとの接続を行わない情報記録再生装置でも、情報記録再生装置に先にアクセスした記録媒体に記録された特定情報は、情報記録再生装置に後にアクセスする記録媒体に伝播させることができる。
【００１１】
なお、特定情報受取手段が記録媒体から特定情報を受け取るタイミングは、記録再生手段が記録媒体にアクセス可能となった直後であることが望ましい。また、特定情報送出手段が記録媒体に特定情報を送出するタイミングは、情報記録再生装置から記録媒体が離間して、記録再生手段が記録媒体にアクセス不能となる直前や、情報記録再生装置の電源がオフとなる直前であることが望ましい。
【００１２】
さらに、上記特定情報送出手段は、上記の構成において、上記特定情報群に含まれる特定情報のうち、上記特定情報受取手段にて受け取った上記記録媒体からの特定情報以外の特定情報の一部または全部を上記記録再生手段に送り出して上記記録媒体に記録することを特徴としている。
【００１３】
上記の構成によると、記録媒体は、既に記録されている特定情報以外の特定情報が記録されることになるので、同じ特定情報が重複して記録されることを防止することができる。
【００１４】
さらに、本発明の情報記録再生装置は、上記の構成において、上記特定情報群更新手段は、上記特定情報受取手段にて受け取った特定情報が、上記特定情報群に既に含まれる特定情報と重複する場合には、何れか一方の特定情報を上記特定情報群に含ませることを特徴としている。
【００１５】
上記の構成によると、記録媒体に記録された特定情報が、特定情報群に含まれる特定情報が重複する場合には、何れか一方の特定情報を特定情報群に残すので、該重複した特定情報全てが記憶手段に記憶されることによる記憶領域の無駄を無くすことができ、記憶手段の記憶領域を効率よく利用することができる。
【００１６】
さらに、本発明の情報記録再生装置は、上記の構成において、上記特定情報群に含ませる特定情報は、新しい方の特定情報であることを特徴としている。
【００１７】
ここで、特定情報の何れが新しいかを判断する基準としては、種々のものが考えられ、例えば、特定情報の作成日や、後述の寿命情報が挙げられる。
【００１８】
上記の構成によると、記録媒体に記録された特定情報が、特定情報群に含まれる特定情報が重複する場合には、新しい方の特定情報が特定情報群に残ることになる。したがって、特定情報送出手段が、特定情報群に含まれる特定情報を記録媒体に記録することにより、記録媒体に記録する特定情報を新しいものに変更することができる。
【００１９】
さらに、本発明の情報記録再生装置は、上記の構成において、上記特定情報には、該特定情報を将来的に利用不能にするための寿命情報を含むことを特徴としている。
【００２０】
ここで、寿命情報としては、例えば、再生可能回数、再生可能期日、記録媒体への記録可能回数などが挙げられる。
【００２１】
上記の構成によると、古い特定情報は寿命情報により利用不能となるので、広告に関する情報やソフトウェアの差分情報のように、時間の経過とともに利用されないことが望ましい特定情報の利用を防止することができる。
【００２２】
なお、寿命情報に基づいて特定情報を利用不能とするには、以下のようにすることが考えられる。すなわち、上記特定情報受取手段が、上記記録媒体に記録された特定情報のうち、利用不能を示す寿命情報を有する特定情報を、受け取らないようにしたり、受け取っても破棄したりすることにより、上記特定情報群更新手段に送り出さないようにすることが考えられる。また、上記特定情報送出手段が、上記特定情報群に含まれる特定情報のうち、利用不能を示す寿命情報を有する特定情報を上記記録再生手段に送り出さないようにすることが考えられる。
【００２３】
さらに、上記特定情報送出手段が、上記特定情報群に含まれる特定情報のうち、利用不能を示す寿命情報を有する特定情報の一部または全部を上記記憶手段から削除することが考えられる。この場合、記憶手段に記憶されている特定情報群の記憶領域を減らすことができ、記憶手段の記憶領域を効率よく利用することができる。
【００２４】
さらに、本発明の情報記録再生装置は、上記の構成において、外部から情報を受信する受信手段をさらに備えており、上記特定情報受取手段は、外部から上記受信手段を介して特定情報を受け取ることを特徴としている。
【００２５】
上記の構成によると、放送局やサーバなどに記憶された新しい特定情報を受け取って特定情報群に追加することができ、記録媒体に記録することができる。そして、この記録媒体を、別の情報記録再生装置にて再生することにより、該情報記録再生装置が受信手段を備えていなくても、放送局やサーバなどに記憶された新しい特定情報を特定情報群に追加することができ、別の記録媒体に記録することができる。すなわち、放送局やサーバなどに記憶された新しい特定情報を、受信手段を備えていない情報記録再生装置にも伝播することができる。
【００２６】
また、ディスク交換をする関係にあるグループに、特定の嗜好の偏りがあった場合、グループに同じ情報を提供することができ、嗜好や流行に合致した流通を実現することができる。これは、特定の地域内や家族内に関しても、同様の効果が期待できる。
【００２７】
なお、上記情報記録再生装置における各手段を、制御プログラムによりコンピュータ上で実行させることができる。さらに、上記制御プログラムをコンピュータ読取り可能な記録媒体に記憶させることにより、任意のコンピュータ上で上記制御プログラムを実行させることができる。
【００２８】
【発明の実施の形態】
本発明の一実施形態について図１ないし図９に基づいて説明すれば、以下のとおりである。図１は、本発明の情報記録再生装置の一実施形態であるディスクドライブ１の概略構成を示している。ディスクドライブ１は、リムーバブルな記録媒体であるディスク２に対してデータの記録および再生を行う装置である。ディスク２の例としては、フレキシブルディスクなどの磁気ディスク、ＣＤ（Ｃｏｍｐａｃｔ  Ｄｉｓｃ）・ＤＶＤ（Ｄｉｇｉｔａｌ  Ｖｅｒｓａｔｉｌｅ  Ｄｉｓｋ）などの光ディスク、およびＭＯ（Ｍａｇｎｅｔｏ  Ｏｐｔｉｃａｌ  Ｄｉｓｋ）などの光磁気ディスクが挙げられる。
【００２９】
図１に示されるように、ディスクドライブ１は、記録再生部１０、制御部１１、記憶部１２、受信部１３、送信部１４、およびカレンダクロック１５を備える構成である。ここで、制御部１１は、ディスクドライブ１の各種構成の動作を統括的に制御するものであり、ＣＰＵ（Ｃｅｎｔｒａｌ  Ｐｒｏｃｅｓｓｉｎｇ  Ｕｎｉｔ）などによって構成される。なお、本実施形態における制御部１１の詳細な構成については後述する。
【００３０】
記録再生部１０は、ディスク２に記録されたデータを再生して制御部１１に送り出すとともに、制御部１１から受け取ったデータをディスク２に記録する機能を有する。受信部１３は、放送局３から放送されたデータや、サーバ４からダウンロードされたデータを受信して制御部１１に送り出す機能を有する。また、送信部１４は、制御部１１から受け取ったデータをサーバ４にアップロードする機能を有する。カレンダクロック１５は、現在の日付および時刻のデータを測定して制御部１１に送り出す機能を有する。
【００３１】
記憶部１２は、各種データを記憶する機能を有し、ＲＡＭ（Ｒａｎｄｏｍ  Ａｃｃｅｓｓ  Ｍｅｍｏｒｙ）などの揮発性メモリによって構成される。記憶部１２には、広告データ群２３を記憶する記憶領域が設けられている。広告データ群２３は、ディスク２、放送局３、およびサーバ４から受け取った広告データの集合である。
【００３２】
さらに、広告データ群２３には、広告データの記憶位置や各種属性情報を有する管理テーブル２４が含まれる。図２は、広告データ群２３の管理テーブル２４の一例を示している。図示の場合では、管理テーブル２４には、広告データの伝播の寿命情報となる残りコピー回数と、広告の種類情報と、広告データが記憶されているフォルダおよびファイル名とが含まれる。なお、広告の種類情報は、番組の合間に表示する広告を、番組の種類や内容に応じて決定するために利用される。
【００３３】
次に、制御部１１の概略構成と各構成における処理動作について図３〜５に基づいて説明する。制御部１１は、広告データ受取部２０、広告データ群更新部２１、および広告データ送出部２２を備える構成である。
【００３４】
図３は、広告データ受取部２０における処理動作の流れを示している。広告データ受取部２０では、ディスク２が挿入された場合には（ステップＳ１０（以下、「Ｓ１０」と略称することがある。他のステップについても同様である。））、挿入されたディスク２から記録再生部１０を介して広告データを受け取って、広告データ群更新部２１に送り出す（Ｓ１１）。
【００３５】
なお、ディスク２が挿入されたか否かは、例えば、ディスク２が挿入されて、記録再生部１０がディスク２に対してアクセス可能となったことを示す検知信号を記録再生部１０から制御部１１に送信することにより検知することができる。
【００３６】
また、サーバ４から受信部１３を介して広告データがダウンロードされた場合には（Ｓ１２）、ダウンロードされた広告データを受け取って、広告データ群更新部２１に送り出す（Ｓ１３）。また、放送局３から受信部１３を介してテレビ（テレビジョン）放送を受信している場合には（Ｓ１４）、テレビ放送データの中から広告データを抽出して、広告データ群更新部２１に送り出す（Ｓ１５）。
【００３７】
なお、ディスク２に対する判断処理および動作と（Ｓ１０・Ｓ１１）、サーバ４に対する判断処理および動作と（Ｓ１２・Ｓ１３）、放送局３に対する判断処理および動作（Ｓ１４・Ｓ１５）とは、それぞれ任意の順番で実行することができる。
【００３８】
図４は、広告データ群更新部２１における処理動作の流れを示している。広告データ群更新部２１では、まず、広告データ受取部２０から広告データを受け取るまで待機し（Ｓ２０）、広告データを受け取ると、広告データ群２３の管理テーブル２４を読み込む（Ｓ２１）。
【００３９】
次に、読み込んだ管理テーブル２４を参照して、受け取った広告データに対応する広告データが広告データ群２３に存在するか否かを判断する（Ｓ２２）。存在しない場合には（Ｓ２２でＮＯ）、受け取った広告データを広告データ群２３に追加保存する（Ｓ２３）。
【００４０】
一方、存在する場合には（Ｓ２２でＹＥＳ）、受け取った広告データは、広告データ群２３にて対応する広告データよりも新しいか否かを判断する（Ｓ２４）。この判断の具体的な基準は多種多様であり、例えば、残りコピー回数が少ないこと、広告データの作成日が新しいことなどが挙げられる。
【００４１】
受け取った広告データが同じか古い場合には（Ｓ２４でＮＯ）、広告データ群２３を更新することなくステップＳ２０に戻る。一方、受け取った広告データが新しい場合には（Ｓ２４でＹＥＳ）、受け取った広告データを、広告データ群２３にて対応する広告データに対して上書き保存する（Ｓ２５）。これにより、広告データ群２３における広告データを新しいものに変更できる。また、広告データの重複を防止できるので、記憶部１２の記憶領域を効率よく利用することができる。
【００４２】
そして、ステップＳ２３・Ｓ２５において広告データが保存された後、広告データ群２３の管理テーブル２４を更新して（Ｓ２６）、ステップＳ２０に戻り、上記動作を繰り返す。
【００４３】
図５は、広告データ送出部２２における処理動作の流れを示している。広告データ送出部２２では、まず、ディスク２が挿入されるまで待機する（Ｓ３０）。ディスクが挿入されると、ユーザにより電源オフ操作が行われるか、或いはユーザによりディスク排出操作が行われるまで待機する（Ｓ３１・Ｓ３２）。
【００４４】
ディスク排出操作が行われると（Ｓ３２にてＹＥＳ）、コンテンツデータの存在する広告データを広告データ群２３から読み込み（Ｓ３３）、読み込んだ広告データを記録再生部１０を介してディスク２の広告データに上書き保存した後（Ｓ３４）、ディスク２を排出する（Ｓ３５）。
【００４５】
続いて、広告データ群２３内の各広告データの残りコピー回数を減らし（Ｓ３６）、残りコピー回数がゼロとなった広告データのコンテンツデータを削除した後（Ｓ３７）、管理テーブル２４を更新する（Ｓ３８）。その後、ステップＳ３０に戻って上記動作を繰り返す。
【００４６】
一方、電源オフ操作が行われると（Ｓ３１にてＹＥＳ）、コンテンツデータの存在する広告データを広告データ群２３から読み込み（Ｓ３９）、読み込んだ広告データを記録再生部１０を介してディスク２の広告データに上書き保存した後（Ｓ４０）、ディスクドライブ１の電源をオフにして終了する。
【００４７】
したがって、広告データ群２３には、新しい広告データが蓄積されるので、ディスク２に新しい広告データを記録し続けることができる。また、古くなったコンテンツデータが広告データ群２３から削除されるので、広告データ群２３の記憶容量が増大することを抑えることができ、記憶部１２の記憶領域を効率よく利用することができる。
【００４８】
ところで、記憶部１２は揮発性のメモリによって構成されるから、ディスクドライブ１の電源をオフにすると、記憶部１２に記憶された広告データ群２３は消失し、蓄積された広告データが消失することになる。
【００４９】
この問題点を回避するため、広告データ送出部２２は、電源をオフにする直前に、広告データ群２３の広告データをディスク２に記録する（Ｓ３９・Ｓ４０）これにより、電源を再びオンにしたとき、広告データ受取部２０および広告データ群更新部２１が動作して、ディスク２に記録された広告データが記憶部１２に記憶されて広告データ群２３が復元される。
【００５０】
なお、ディスク２の排出後、ディスク２を挿入することなくディスクドライブ１の電源をオフにした場合には、電源を再びオンにしても、広告データ群２３が復元されることはなく、前回排出されたディスク２が挿入されて初めて、広告データ群２３が復元されることになる。すなわち、記憶部１２が揮発性のメモリによって構成される場合には、広告データ群２３が消失する危険性があり、この危険性があることを前提にしてディスクドライブ１が運用されることになる。
【００５１】
しかしながら、ディスクドライブ１が、テレビジョン映像の録画・再生を行うディスク録画再生装置である場合には、ディスク録画再生装置に内蔵された安価かつ大容量のフレームメモリの一部を記憶部１２として利用することができ、新たなメモリを設置する必要がない。
【００５２】
これに対し、記憶部１２が、フラッシュメモリ・ハードディスクなどの不揮発性のメモリによって構成される場合には、広告データ群２３が消失する危険性を回避することができる。また、広告データ送出部２２における電源をオフにする直前の処理動作（図５のＳ３９・Ｓ４０）を行う必要がない。
【００５３】
しかしながら、一般に、不揮発性のメモリは、揮発性のメモリに比べて、高価かつ小容量である。また、ディスク録画再生装置などでは新たに不揮発性メモリを設置する必要があり、装置規模の拡大およびコスト上昇を招くことになる。
【００５４】
次に、上記構成のディスクドライブ１において、ディスクドライブ１およびディスク２に広告データが伝播していく具体的な様子を図６〜図９に基づいて説明する。なお、図６〜図９では、広告データの変遷を理解し易くするために、ディスクドライブ１、ディスク２、およびサーバ４において記憶または記録されている広告データの種類のみが示されており、その他の構成が省略されている。
【００５５】
図６に示される場合では、１台のディスクドライブ１と、３枚のディスクＡ〜Ｃが利用されている。そして、初期状態では、ディスクドライブ１には何れの広告データも記憶されておらず、ディスクＡには広告データａが記録され、ディスクＢには広告データｂが記録され、ディスクＣには広告データｃが記録されているとする。なお、同図の場合では、残りコピー回数などの寿命情報は利用しないこととする。
【００５６】
上記の構成において、ディスクＡをディスクドライブ１に挿入すると、ディスクドライブ１には広告データａが記憶される。そして、ディスクＡをディスクドライブ１から排出するときに、ディスクＡには広告データａが記録される。すなわち、排出後のディスクＡには、挿入前と同じ広告データａが記録されることになる。
【００５７】
次に、ディスクＢをディスクドライブ１に挿入すると、ディスクドライブ１には広告データａ・ｂが記憶される。そして、ディスクＢをディスクドライブ１から排出するときに、ディスクＢには広告データａ・ｂが記録される。すなわち、排出後のディスクＢには、挿入前と比べて広告データａが追加されることになる。
【００５８】
次に、ディスクＣをディスクドライブ１に挿入すると、ディスクドライブ１には広告データａ〜ｃが記憶される。そして、ディスクＣをディスクドライブ１から排出するときに、ディスクＣには広告データａ〜ｃが記録される。すなわち、排出後のディスクＣには、挿入前と比べて広告データａ・ｂが追加されることになる。
【００５９】
したがって、図６を参照すると、先に挿入されたディスクに記録されている広告データが、後に挿入されるディスクに伝播していくことが理解できる。
【００６０】
図７に示される場合では、１台のサーバ４と、２台のディスクドライブＡ・Ｂと、１枚のディスク２が利用されている。なお、ディスクドライブＡは、サーバ４と通信する受信部１３および送信部１４（図１）を備える構成であるが、ディスクドライブＢは受信部１３および送信部１４を省略した構成であるとする。すなわち、ディスクドライブＡはサーバ４と通信することができるが、ディスクドライブＢはサーバ４と通信することができないとする。
【００６１】
そして、初期状態では、サーバ４には広告データｘ・ｙが記憶され、ディスクドライブＡには何れの広告データも記憶されておらず、ディスクドライブＢには広告データｚが記憶され、ディスク２には広告データａが記録されているとする。なお、図７の場合では、残りコピー回数などの寿命情報は利用しないこととする。
【００６２】
上記の構成において、まず、サーバ４からのダウンロードにより、ディスクドライブＡに広告データｘ・ｙが記憶される。次に、ディスク２をディスクドライブＡに挿入すると、ディスクドライブＡには広告データｘ・ｙ・ａが記憶される。そして、ディスク２をディスクドライブＡから排出するときに、ディスク２には広告データａ・ｘ・ｙが記録される。すなわち、排出後のディスク２には、挿入前と比べて、サーバ４に記憶された広告データｘ・ｙが追加されることになる。
【００６３】
次に、ディスク２をディスクドライブＢに挿入すると、ディスクドライブＢには広告データｘ〜ｚ・ａが記憶される。すなわち、サーバ４と通信できないディスクドライブＢに、サーバ４に記憶された広告データｘ・ｙが記憶されることになる。そして、ディスク２をディスクドライブＢから排出するときに、ディスク２には広告データａ・ｘ〜ｚが記録される。すなわち、排出後のディスク２には、挿入前と比べて広告データｚが追加されることになる。
【００６４】
したがって、図７を参照すると、サーバ４に記憶された広告データｘ・ｙが、サーバ４と通信するディスクドライブＡを介して、ディスク２に伝播することが理解できる。さらに、サーバ４に記憶された広告データｘ・ｙが、サーバ４と通信できないディスクドライブＢにも伝播することが理解できる。
【００６５】
図８に示される場合では、１台のディスクドライブ１と、２枚のディスクＡ・Ｂが利用されている。さらに、同図の場合では、寿命情報である残りコピー回数が利用される。なお、以下では、図示のように、広告データの後に残りコピー回数をカッコ書きで示すことにする。
【００６６】
そして、初期状態では、ディスクドライブ１には、広告データｂ（残り１）が記憶され、ディスクＡには、広告データａ（残り８）が記録され、ディスクＢには、広告データａ（残り２）・広告データｂ（残り５）・広告データｃ（残り１２）が記録されているとする。
【００６７】
上記の構成において、ディスクＡをディスクドライブ１に挿入すると、ディスクドライブ１には、広告データａ（残り８）・広告データｂ（残り１）が記憶される。そして、ディスクＡをディスクドライブ１から排出するときに、ディスクＡには広告データａ（残り８）・広告データｂ（残り１）が記録される。すなわち、排出後のディスクＡには、挿入前と比べて、広告データｂ（残り１）が追加されることになる。
【００６８】
ディスクＡの排出後に、ディスクドライブ１は、記憶されている広告データの残りコピー回数を１つ減らす。これにより、ディスクドライブ１には、広告データａ（残り７）・広告データｂ（残り０）が記憶されることになる。なお、広告データｂの残りコピー回数がゼロとなるため、広告データｂのコンテンツデータが削除される。データの削除された記憶領域は、別の広告データを記憶するときに利用されるので、記憶領域を効率よく利用することができる。
【００６９】
次に、ディスクＢをディスクドライブ１に挿入する。このとき、ディスクＢおよびディスクドライブ１にそれぞれ記録および記憶されている同じ広告データに関しては、新しい方、すなわち残りコピー回数の少ない方を選択して、ディスクドライブ１に記憶する。
【００７０】
すなわち、広告データａに関しては、ディスクＢに記録された広告データａ（残り２）がディスクドライブ１に記憶される。一方、広告データｂに関しては、ディスクドライブ１に記憶された広告データｂ（残り０）が維持される。したがって、ディスクドライブ１には、広告データａ（残り２）・広告データｂ（残り０）・広告データｃ（残り１２）が記憶されることになる。
【００７１】
それから、ディスクＢをディスクドライブ１から排出するときに、ディスクＢに記録された広告データが、ディスクドライブ１に記憶された広告データに上書き保存される。なお、ディスクドライブ１に記憶された広告データｂに関しては、残りコピー回数がゼロとなってコンテンツデータが削除されているので、コンテンツデータ以外のデータ、すなわち管理テーブル２４に格納された残りコピー回数、広告の種類などのデータがディスクＢに記録されることになる。
【００７２】
これにより、ディスクＢには広告データｂのコンテンツデータが記録されることがないから、将来利用される可能性のないコンテンツデータが記録されることによる記録領域の無駄を防止することができる。また、残りコピー回数がゼロであるので、広告データｂが更新されて再びコンテンツデータが記録されることを防止することができる。
【００７３】
ディスクＢの排出後に、ディスクドライブ１は、記憶されている広告データの残りコピー回数を１つ減らす。これにより、ディスクドライブ１には、広告データａ（残り１）・広告データｂ（残り０）・広告データｃ（残り１１）が記憶されることになる。
【００７４】
したがって、図８を参照すると、新しい広告データは伝播されていくが、古い広告データは伝播されなくなることが理解できる。
【００７５】
図９に示される場合では、１台のディスクドライブ１と、１枚のディスク２が利用されている。さらに、同図の場合では、寿命情報である作成日が利用される。なお、以下では、図示のように、広告データの後に作成日をカッコ書きで示すことにする。そして、初期状態では、ディスクドライブ１には、広告データａのコンテンツデータを変更した広告データａ’（作成日７／１）が記憶され、ディスク２には、広告データａ（作成日４／１）が記録されているとする。
【００７６】
上記の構成において、ディスク２をディスクドライブ１に挿入する。このとき、ディスク２およびディスクドライブ１にそれぞれ記録および記憶されている同じ種類の広告データａ・ａ’に関しては、新しい方、すなわち作成日の新しい方を選択して、ディスクドライブ１に記憶する。すなわち、ディスクドライブ１には、広告データａ’（作成日７／１）が維持されることになる。
【００７７】
それから、ディスク２をディスクドライブ１から排出するときに、ディスク２に記録された広告データａ（作成日４／１）が、ディスクドライブ１に記憶された広告データａ’（作成日７／１）に上書き保存される。これにより、排出後のディスク２には、挿入前の広告データａを更新した広告データａ’が記録されることになる。
【００７８】
したがって、図８を参照すると、広告データの作成日を参照することにより、広告データの更新が可能となることが理解できる。
【００７９】
なお、上記実施形態では、特定情報として広告データを利用したが、時間の経過とともに伝播されることが望まれる任意の情報を利用することができる。例えば、特定情報として、ソフトウェアアップデート情報を適用した場合について説明する。ソフトウェアアップデート情報とは、例えば、ディスク録画再生装置のＧＵＩ（Ｇｒａｐｈｉｃａｌ  Ｕｓｅｒ  Ｉｎｔｅｒｆａｃｅ）の素材や配置情報や、録画再生ソフトウェアのバグフィクス用の差分情報などを指す。これらは、前述した広告情報の場合と同様に読込み／書出しが行われ、同様の流通（情報の伝播）を実現する。
【００８０】
なお、ソフトウェアアップデート情報の場合には、以下の２つの点で上記広告情報の場合とは異なる。まず、ソフトウェアアップデート情報の寿命は、素材情報であれば時間で決定され、バグフィクス用の差分情報であれば設定しない。また、メモリ上のソフトウェアアップデート情報とディスク上のソフトアップデート情報から最新のソフトウェアアップデート情報を再構成する手段は、同じものがふたつあれば１つにまとめ、バグフィクス情報に関しては最新のものを有効とする。
【００８１】
したがって、ディスク交換による伝播手段によって、流行に合ったＧＵＩを提供したり、ネットワークに負荷をかけずにバグフィクス用の差分情報を提供したりすることができる。
【００８２】
また、広告情報およびソフトウェアアップデート情報の何れの場合においても、ディスク交換をする関係にあるグループに、特定の嗜好の偏りがあった場合、グループに同じ情報を提供することができ、嗜好や流行に合致した流通を実現することができる。さらに、特定の地域内や家族内に関しても、同様の効果が期待できる。
【００８３】
また、上記実施形態では、広告データなどの特定情報を記録するリムーバブルな記録媒体としてディスク２を利用したが、情報記録再生装置から離すことができる不揮発性記録媒体であれば、フラッシュＥＥＰＲＯＭなどの不揮発性ＩＣメモリやリムーバブルハードディスクのような任意の不揮発性記録媒体を利用することができ、該記録媒体に対応する情報記録再生装置を利用することができる。
【００８４】
なお、記録媒体として非接触式ＩＣカードを利用する場合には、情報記録再生装置に接触または接近させるのみで記録および再生が可能であるので、記録媒体を挿抜または着脱する機構を情報記録再生装置に設ける必要はない。また、ＣＤ−ＲＯＭなどの読込専用媒体の場合には、特定情報を書き込む媒体としては利用することができないが、特定情報を情報記録再生装置に読み出す媒体として利用することが可能である。
【００８５】
また、上記実施形態のディスクドライブ１の各部や各処理ステップは、ＣＰＵなどの演算手段が、ＲＯＭ（Ｒｅａｄ  Ｏｎｌｙ  Ｍｅｍｏｒｙ）やＲＡＭなどの記憶手段に記憶されたプログラムを実行し、キーボードなどの入力手段、ディスプレイなどの出力手段、あるいは、インターフェース回路などの通信手段を制御することにより実現することができる。したがって、これらの手段を有するコンピュータが、上記プログラムを記録した記録媒体を読み取り、当該プログラムを実行するだけで、本実施形態のディスクドライブ１の各種機能および各種処理を実現することができる。また、上記プログラムをリムーバブルな記録媒体に記録することにより、任意のコンピュータ上で上記の各種機能および各種処理を実現することができる。
【００８６】
この記録媒体としては、マイクロコンピュータで処理を行うために図示しないメモリ、例えばＲＯＭのようなものがプログラムメディアであっても良いし、また、図示していないが外部記憶装置としてプログラム読取り装置が設けられ、そこに記録媒体を挿入することにより読取り可能なプログラムメディアであっても良い。
【００８７】
また、何れの場合でも、格納されているプログラムは、マイクロプロセッサがアクセスして実行される構成であることが好ましい。さらに、プログラムを読み出し、読み出されたプログラムは、マイクロコンピュータのプログラム記憶エリアにダウンロードされて、そのプログラムが実行される方式であることが好ましい。なお、このダウンロード用のプログラムは予め本体装置に格納されているものとする。
【００８８】
また、上記プログラムメディアとしては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、フラッシュＲＯＭ等による半導体メモリを含めた固定的にプログラムを担持する記録媒体等がある。
【００８９】
また、インターネットを含む通信ネットワークを接続可能なシステム構成であれば、通信ネットワークからプログラムをダウンロードするように流動的にプログラムを担持する記録媒体であることが好ましい。
【００９０】
さらに、このように通信ネットワークからプログラムをダウンロードする場合には、そのダウンロード用のプログラムは予め本体装置に格納しておくか、あるいは別な記録媒体からインストールされるものであることが好ましい。
【００９１】
本発明は上述した各実施形態に限定されるものではなく、請求項に示した範囲で種々の変更が可能であり、さらに、異なる実施形態にそれぞれ開示された技術的手段を適宜組み合わせて得られる実施形態についても本発明の技術的範囲に含まれる。
【００９２】
【発明の効果】
以上のように、本発明の情報伝播方法は、第１の記録媒体が情報記録再生装置にて記録および再生可能に配備されると、第１の記録媒体に記録された特定情報を上記記録再生手段を介して上記記憶手段に記憶しておき、第２の記録媒体が情報記録再生装置にて記録および再生可能に配備されると、上記記憶手段に記憶された特定情報を上記記録再生手段を介して第２の記録媒体に記録する方法である。
【００９３】
これにより、情報記録再生装置において放送局からの受信や通信ネットワークとの接続を行わなくとも、記録媒体の交換を行うことにより、先の（第１の）記録媒体に記録された特定情報を、後の（第２の）記録媒体に伝播させることができるという効果を奏する。
【００９４】
また、本発明の情報記録再生装置は、以上のように、上記記録媒体から上記記録再生手段を介して特定情報を受け取る特定情報受取手段と、該特定情報受取手段にて受け取った特定情報を、上記記憶手段に記憶された上記特定情報の集まりである特定情報群に追加するように該特定情報群を更新する特定情報群更新手段と、上記特定情報群に含まれる特定情報の一部または全部を、上記記録再生手段にて上記記録媒体に記録するために上記記録再生手段に送り出す特定情報送出手段とを備える構成である。
【００９５】
これにより、放送局からの受信や通信ネットワークとの接続を行わない情報記録再生装置でも、情報記録再生装置に先にアクセスした記録媒体に記録された特定情報は、情報記録再生装置に後にアクセスする記録媒体に伝播させることができるという効果を奏する。
【００９６】
さらに、上記特定情報送出手段は、以上のように、上記の構成において、上記特定情報群に含まれる特定情報のうち、上記特定情報受取手段にて受け取った上記記録媒体からの特定情報以外の特定情報の一部または全部を上記記録再生手段に送り出して上記記録媒体に記録する構成である。
【００９７】
これにより、記録媒体は、既に記録されている特定情報以外の特定情報が記録されることになるので、同じ特定情報が重複して記録されることを防止する効果を奏する。
【００９８】
さらに、本発明の情報記録再生装置は、以上のように、上記の構成において、上記特定情報群更新手段は、上記特定情報受取手段にて受け取った特定情報が、上記特定情報群に既に含まれる特定情報と重複する場合には、何れか一方の特定情報を上記特定情報群に含ませる構成である。
【００９９】
これにより、記録媒体に記録された特定情報が、特定情報群に含まれる特定情報が重複する場合には、何れか一方の特定情報を特定情報群に残すので、該重複した特定情報全てが記憶手段に記憶されることによる記憶領域の無駄を無くすことができ、記憶手段の記憶領域を効率よく利用することができる効果を奏する。
【０１００】
さらに、本発明の情報記録再生装置は、上記の構成において、上記特定情報群に含ませる特定情報は、新しい方の特定情報である構成である。
【０１０１】
これにより、記録媒体に記録された特定情報が、特定情報群に含まれる特定情報が重複する場合には、新しい方の特定情報が特定情報群に残ることになるので、記録媒体に記録する特定情報を新しいものに変更できる効果を奏する。
【０１０２】
さらに、本発明の情報記録再生装置は、以上のように、上記の構成において、上記特定情報には、該特定情報を将来的に利用不能にするための寿命情報を含む構成である。これにより、古い特定情報は寿命情報により利用不能となるので、時間の経過とともに利用されないことが望ましい特定情報の利用を防止する効果を奏する。
【０１０３】
なお、寿命情報に基づいて特定情報を利用不能とするには、以下のようにすることもできる。すなわち、上記特定情報受取手段が、上記記録媒体に記録された特定情報のうち、利用不能を示す寿命情報を有する特定情報を上記特定情報群更新手段に送り出さないようにすることもできる。また、上記特定情報送出手段が、上記特定情報群に含まれる特定情報のうち、利用不能を示す寿命情報を有する特定情報を上記記録再生手段に送り出さないようにすることもできる。
【０１０４】
さらに、上記特定情報送出手段が、上記特定情報群に含まれる特定情報のうち、利用不能を示す寿命情報を有する特定情報の一部または全部を上記記憶手段から削除することもできる。この場合、記憶手段に記憶されている特定情報群の記憶領域を減らすことができ、記憶手段の記憶領域を効率よく利用できる効果を奏する。
【０１０５】
さらに、本発明の情報記録再生装置は、以上のように、上記の構成において、外部から情報を受信する受信手段をさらに備えており、上記特定情報受取手段は、外部から上記受信手段を介して特定情報を受け取る構成である。
【０１０６】
これにより、放送局やサーバなどに記憶された新しい特定情報を受け取って特定情報群に追加でき、記録媒体に記録できる効果を奏する。さらに、この記録媒体を、別の情報記録再生装置にて再生することにより、放送局やサーバなどに記憶された新しい特定情報を、受信手段を備えていない情報記録再生装置にも伝播できる効果を奏する。
【０１０７】
また、ディスク交換をする関係にあるグループに、特定の嗜好の偏りがあった場合、グループに同じ情報を提供することができ、嗜好や流行に合致した流通を実現することができる。これは、特定の地域内や家族内に関しても、同様の効果が期待できる。
【０１０８】
なお、上記情報記録再生装置における各手段を、制御プログラムによりコンピュータ上で実行させることができる。さらに、上記制御プログラムをコンピュータ読取り可能な記録媒体に記憶させることにより、任意のコンピュータ上で上記制御プログラムを実行させることができる。
【図面の簡単な説明】
【図１】本発明の一実施形態であるディスクドライブの概略構成を示すブロック図である
【図２】上記ディスクドライブにおける広告データ群の管理テーブルの一例を表形式にて示す図である。
【図３】上記ディスクドライブにおける広告データ受取部における処理動作を示すフローチャートである。
【図４】上記ディスクドライブにおける広告データ群更新部における処理動作を示すフローチャートである。
【図５】上記ディスクドライブにおける広告データ送出部における処理動作を示すフローチャートである。
【図６】上記ディスクドライブにおいて、ディスクドライブおよびディスクに広告データが伝播していく具体的な様子の一例を示すブロック図である。
【図７】上記ディスクドライブにおいて、ディスクドライブおよびディスクに広告データが伝播していく具体的な様子の別の例を示すブロック図である。
【図８】上記ディスクドライブにおいて、ディスクドライブおよびディスクに広告データが伝播していく具体的な様子のさらに別の例を示すブロック図である。
【図９】上記ディスクドライブにおいて、ディスクドライブおよびディスクに広告データが伝播していく具体的な様子の他の例を示すブロック図である。
【符号の説明】
１    ディスクドライブ（情報記録再生装置）
２    ディスク（記録媒体）
１０    記録再生部（記録再生手段）
１２    広告データ群（記憶手段、特定情報群）
１３    受信部（受信手段）
２０    広告データ受取部（特定情報受取手段）
２１    広告データ群更新部（特定情報群更新手段）
２２    広告データ送出部（特定情報送出手段）
【図１】
2005004900.tif 000003
【図２】
2005004900.tif 000004
【図３】
2005004900.tif 000005
【図４】
2005004900.tif 000006
【図５】
2005004900.tif 000007
【図６】
2005004900.tif 000008
【図７】
2005004900.tif 000009
【図８】
2005004900.tif 000010
【図９】
2005004900.tif 000011